(57)【要約】【課題】  吹出口に水平羽根が設けられた空気調和装置において、吹出口における通風抵抗を増加させることなく、吹出口に設けられた水平羽根の軸方向の端部における結露を抑える。【解決手段】  空気調和装置１は、ケーシング２と、送風機４と、熱交換器６と、水平フラップ３５ａ〜３５ｄとを備えている。ケーシング２は、吸入口３１と主吹出口３２ａ〜３２ｄとを有している。水平フラップ３５ａ〜３５ｄは、主吹出口３２ａ〜３２ｄに設けられ、熱交換器６によって熱交換されて主吹出口３２ａ〜３２ｄから吹き出される気流の風向を調節する。ケーシング２は、水平フラップ３５ａ〜３５ｄの軸方向の端部の近傍に配置され、熱交換器６によって熱交換された空気を主吹出口３２ａ〜３２ｄとは別に空調室内に吹き出す角部吹出口３２ｅ〜３２ｆをさらに有している。【選択図】      図７
2005156044.tif 000002
【特許請求の範囲】
【請求項１】
空調室内の空気調和を行うための空気調和装置であって、
吸入口（３１）と吹出口（３２ａ〜３２ｄ）とを有するケーシング（２）と、
前記ケーシング内に配置され、前記吸入口から前記ケーシング内に空気を吸入し、吸入された空気を前記吹出口から前記空調室内に吹き出す送風機（４）と、
前記ケーシング内に配置され、前記送風機によって前記ケーシング内に吸入された空気を熱交換させる熱交換器（６）と、
前記吹出口に設けられ、前記熱交換器によって熱交換されて前記吹出口から吹き出される気流の風向を調節する水平羽根（３５ａ〜３５ｄ）とを備え、
前記ケーシングは、前記水平羽根の軸方向の端部の近傍に配置され、前記熱交換器によって熱交換された空気を前記吹出口とは別に前記空調室内に吹き出す軸端吹出口（３２ｅ〜３２ｈ）をさらに有している、
空気調和装置（１）。
【請求項２】
前記軸端吹出口（３２ｅ〜３２ｈ）は、前記吹出口（３２ａ〜３２ｄ）よりも開口面積が小さい、請求項１に記載の空気調和装置（１）。
【請求項３】
前記軸端吹出口（３２ｅ〜３２ｈ）は、前記吹出口（３２ａ〜３２ｄ）の軸方向外側に配置されている、請求項１又は２に記載の空気調和装置（１）。
【請求項４】
前記軸端吹出口（３２ｅ〜３２ｈ）の前記吹出口（３２ａ〜３２ｄ）側の端部と前記吹出口の前記軸端吹出口側の端部との間隔（Ｅ）は、前記吹出口の前記水平羽根（３５ａ〜３５ｄ）の軸に直交する方向の幅（Ｗ1）の３倍以下の長さである、請求項３に記載の空気調和装置（１）。
【請求項５】
前記ケーシングは、前記空調室の天井に埋め込まれるように配置され、複数の辺部（３０ａ〜３０ｄ）と複数の角部（３０ｅ〜３０ｈ）とが交互に連続して形成されたケーシング下部（３、７）を有しており、
前記吹出口（３２ａ〜３２ｄ）は、前記辺部に沿うように配置されており、
前記軸端吹出口（３２ｅ〜３２ｈ）は、前記角部に配置されている、
請求項３又は４に記載の空気調和装置（１）。
【発明の詳細な説明】
【技術分野】
【０００１】
本発明は、空気調和装置、特に、空調室内の空気調和を行うための空気調和装置に関する。
【背景技術】
【０００２】
従来の空調室内の空気調和を行うための空気調和装置の一例として、天井埋込型の空気調和装置がある。この空気調和装置は、主として、吸入口と吹出口とを有するケーシングと、ケーシング内に配置された送風機及び熱交換器とを備えている。ケーシングは、主として、空調室の天井裏空間に配置された下面が開口した箱状体からなるケーシング本体と、ケーシング本体の下側に配置された略４角形状の板状体からなる化粧パネルとから構成されている。また、ケーシング内には、熱交換器において空気中の水分が凝縮されることによって発生したドレン水を受ける吹出流路形成部材としてのドレンパンが配置されている。化粧パネルの略中央には、吸入口が配置されており、送風機によって空調室内の空気をケーシング内に吸入するようになっている。また、化粧パネルには、吸入口を囲むように吹出口が配置されており、熱交換器によって熱交換された空気を空調室内に吹き出すようになっている。ドレンパンには、吹出口に連通する孔等からなる連通路が形成されており、吹出口とともに熱交換器によって冷却又は加熱された空気を空調室内に吹き出すための吹出流路を構成している。また、吹出口には、吹出口から吹き出される空気の風向を調節する水平フラップが設けられている。
【０００３】
このような空気調和装置において、冷房運転を行うと、吸入口を通じて空調室内からケーシング内に吸入された空気は、熱交換器によって冷却されて冷気になった後、吹出流路を通じて空調室内に吹き出される。ここで、吹出口の中央付近を通過する空気の流量は、吹出口の端部付近を通過する空気の流量に比べて大きい。これにより、吹出口の中央付近では、吹出口の中央付近に位置する水平フラップの軸方向の中央部が冷気雰囲気になるため、水平フラップの軸方向の中央部に結露が生じることはない。一方、吹出口の端部付近を通過する空気の流量は、吹出口の中央付近を通過する空気の流量に比べて小さいため、空調室内の暖気が吹出口の端部付近に巻き込まれるようになる。これにより、吹出口の端部付近では、ケーシング内から吹き出す冷気と空調室内の暖気とが混合されて、水平フラップの軸方向の端部に結露が生じてしまう。
【０００４】
これに対して、吹出流路形成部材としてのドレンパンと吹出口に設けられた水平フラップの軸方向の端部との間にスペースを空けるとともに、このスペースに水平フラップの軸方向の端部に冷気を案内する案内板を設けたり、吹出口の端部付近の開口サイズを小さくすることで、水平フラップの軸方向の端部に冷気を案内するようにして、水平フラップの軸方向の端部における結露を抑えるようにした構成が提案されている（例えば、特許文献１参照。）。
【０００５】
前者の空気調和装置では、ドレンパンと水平フラップの軸方向の端部との間にスペースを空ける必要があるため、天井埋込型の空気調和装置においてケーシングの高さ寸法が大きくなる等のように、案内板を設けるためのスペースを空ける分だけケーシングのサイズが大きくなり、また、案内板を設けることによって吹出口の通風抵抗が増加してしまう。また、後者の空気調和装置では、ドレンパンと吹出口に設けられた水平フラップの軸方向の端部との間にスペースを空ける必要はないが、吹出口の流路が狭くなることにより、吹出口における通風抵抗が増加してしまう。
【特許文献１】特開平１０−２０５７９５号公報
【発明の開示】
【発明が解決しようとする課題】
【０００６】
本発明の課題は、吹出口に水平羽根が設けられた空気調和装置において、吹出口における通風抵抗を増加させることなく、吹出口に設けられた水平羽根の軸方向の端部における結露を抑えることにある。
【課題を解決するための手段】
【０００７】
請求項１に記載の空気調和装置は、空調室内の空気調和を行うための空気調和装置であって、ケーシングと、送風機と、熱交換器と、水平羽根とを備えている。ケーシングは、吸入口と吹出口とを有している。送風機は、ケーシング内に配置され、吸入口からケーシング内に空気を吸入し、吸入された空気を吹出口から空調室内に吹き出す。熱交換器は、ケーシング内に配置され、送風機によってケーシング内に吸入された空気を熱交換させる。水平羽根は、吹出口に設けられ、熱交換器によって熱交換されて吹出口から吹き出される空気の風向を調節する。ケーシングは、水平羽根の軸方向の端部の近傍に配置され、熱交換器によって熱交換された空気を吹出口とは別に空調室内に吹き出す軸端吹出口をさらに有している。
【０００８】
この空気調和装置では、冷房運転時において、ケーシング内に吸入された空気は、熱交換器において熱交換されて冷気となり、吹出口から空調室内に吹き出されるとともに、吹出口とは別に設けられた軸端吹出口からも空調室内に吹き出される。ここで、吹出口の端部付近を通過する空気の流量は、吹出口の中央付近を通過する空気の流量に比べて小さいため、空調室内の空気が吹出口の端部付近に巻き込まれることになるが、軸端吹出口が水平羽根の軸方向の端部の近傍に配置されているため、吹出口の端部付近は冷気雰囲気になっている。このため、吹出口の端部付近に巻き込まれる空気は、吹出口から吹き出される冷気に近い温度を有することとなり、吹出口から吹き出される冷気とが混合されても、水平フラップの軸方向の端部に結露が生じにくくなっている。
【０００９】
このように、この空気調和装置では、軸端吹出口から空調室内に吹き出された冷気を利用して、水平羽根の軸方向端部における結露を抑えるようにしているため、従来のように吹出口に案内板を設けることによって、吹出口における通風抵抗を増加させてしまうことがない。
請求項２に記載の空気調和装置は、請求項１において、軸端吹出口は、吹出口よりも開口面積が小さい。
この空気調和装置では、軸端吹出口が吹出口よりも開口面積が小さいため、吹出口の端部付近のスペースが小さい場合であっても、軸端吹出口を容易に配置することができる。
【００１０】
請求項３に記載の空気調和装置は、請求項１又は２において、軸端吹出口は、吹出口の軸方向外側に配置されている。
この空気調和装置では、軸端吹出口を吹出口の軸方向外側に配置することによって、水平羽根の軸方向の端部を確実に冷気雰囲気にすることができる。
請求項４に記載の空気調和装置は、請求項３において、軸端吹出口の吹出口側の端部と吹出口の軸端吹出口側の端部との間隔は、吹出口の水平羽根の軸に直交する方向の幅の３倍以下の長さである。
【００１１】
この空気調和装置では、吹出口と軸端吹出口とを所定の距離範囲内に配置することによって、水平羽根の軸方向の端部を確実に冷気雰囲気にすることができる。
請求項５に記載の空気調和装置は、請求項３又は４において、ケーシングは、空調室の天井に配置され、複数の辺部と複数の角部とが交互に連続して形成されたケーシング下部を有している。吹出口は、辺部に沿うように配置されている。軸端吹出口は、角部に配置されている。
【００１２】
この空気調和装置では、ケーシングの角部のスペースを有効に利用して、水平羽根の軸方向の端部を冷気雰囲気にするための軸端吹出口を設けることができる。
【発明の効果】
【００１３】
以上の説明に述べたように、本発明によれば、以下の効果が得られる。
請求項１にかかる発明では、水平羽根の軸方向の端部の近傍に配置された軸端吹出口から空調室内に吹き出された冷気を利用して、水平羽根の軸方向端部における結露を抑えるようにしているため、従来のように吹出口に案内板を設けることによって、吹出口における通風抵抗を増加させてしまうことがない。
【００１４】
請求項２にかかる発明では、軸端吹出口が吹出口よりも開口面積が小さいため、吹出口の端部付近のスペースが小さい場合であっても、軸端吹出口を容易に配置することができる。
請求項３にかかる発明では、水平羽根の軸方向の端部を確実に冷気雰囲気にすることができる。
【００１５】
請求項４にかかる発明では、吹出口と軸端吹出口とを所定の距離範囲内に配置することによって、水平羽根の軸方向の端部を確実に冷気雰囲気にすることができる。
請求項５にかかる発明では、ケーシングの角部のスペースを有効に利用して、水平羽根の軸方向の端部を冷気雰囲気にするための軸端吹出口を設けることができる。
【発明を実施するための最良の形態】
【００１６】
以下、本発明にかかる空気調和装置の実施形態について、図面に基づいて説明する。
（１）空気調和装置の基本構成
図１に本発明の一実施形態にかかる空気調和装置１の外観斜視図（天井は省略）を示す。空気調和装置１は、天井埋込型の空気調和装置であり、内部に各種構成機器を収納するケーシング２を備えている。ケーシング２は、ケーシング本体２ａと、ケーシング本体２ａの下側に配置された化粧パネル３とから構成されている。ケーシング本体２ａは、図２に示されるように、空調室の天井Ｕに形成された開口に挿入されて配置されている。そして、化粧パネル３は、天井Ｕの開口に嵌め込まれるように配置されている。ここで、図２は、空気調和装置１の概略側面断面図であって、図３のＡ−Ｏ−Ａ断面図である。
【００１７】
＜ケーシング本体＞
ケーシング本体２ａは、図２及び図３に示されるように、その平面視において、長辺と短辺とが交互に形成された略８角形状の下面が開口した箱状体であり、長辺と短辺とが交互に連続して形成された略８角形状の天板２１と、天板２１の周縁部から下方に延びる側板２２とを有している。ここで、図３は、空気調和装置１の概略平面断面図であって、図２のＢ−Ｂ断面図である。
【００１８】
側板２２は、天板２１の長辺に対応する側板２２ａ、２２ｂ、２２ｃ、２２ｄと、天板２１の短辺に対応する側板２２ｅ、２２ｆ、２２ｇ、２２ｈとから構成されている。ここで、例えば、側板２２ｄと側板２２ａとは、側板２２ｅを挟んで互いが略直交するように配置されている。他の側板２２ａ、２２ｂ間、側板２２ｂ、２２ｃ間、側板２２ｃ、２２ｄ間についても、側板２２ｄ、２２ａ間と同様に、互いが略直交するように配置されている。また、側板２２ｅは、隣り合う側板２２ｄ及び側板２２ａとのなす角度αが約１３５度になるように配置されている。側板２２ｆ、２２ｇについても、側板２２ｅと同様に、隣り合う側板とのなす角度が約１３５度になるように配置されている。尚、側板２２ｈは、熱交換器６（後述）と室外ユニット（図示せず）との間で冷媒をやりとりするための冷媒配管が貫通する部分を構成しており、他の側板２２ｅ、２２ｆ、２２ｇとは異なる形状となっている。また、各側板２２ｅ、２２ｆ、２２ｇ、２２ｈには、ケーシング本体２ａを天井裏空間に設置する際に使用される固定金具２３が設けられている。そして、ケーシング本体２ａは、平面視において、固定金具２３を含めた形状が略４角形になるように、天板２１の長辺及び短辺の長さが設定されている。
【００１９】
＜化粧パネル＞
化粧パネル３は、図２、図３及び図４に示されるように、平面視が略４角形状の板状体であり、主として、ケーシング本体２ａの下端部に固定されたパネル本体３ａから構成されている。ここで、図４は、空気調和装置１の化粧パネル３を空調室内から見た平面図である。
【００２０】
パネル本体３ａは、複数個（本実施形態では、４個）のパネル辺部３０ａ、３０ｂ、３０ｃ、３０ｄ（辺部）と、複数個（本実施形態では、４個）のパネル角部３０ｅ、３０ｆ、３０ｇ、３０ｈ（角部）とが交互に連続して形成されている。パネル辺部３０ａ、３０ｂ、３０ｃ、３０ｄは、それぞれ、ケーシング本体２ａの側板２２ａ、２２ｂ、２２ｃ、２２ｄに対応するように配置されている。パネル角部３０ｅ、３０ｆ、３０ｇ、３０ｈは、それぞれ、ケーシング本体２ａの側板２２ｅ、２２ｆ、２２ｇ、２２ｈに対応するように配置されている。
【００２１】
パネル本体３ａは、その略中央に空調室内の空気を吸入する吸入口３１と、パネル辺部３０ａ、３０ｂ、３０ｃ、３０ｄのそれぞれに対応するように形成されケーシング本体２ａ内から空調室内に空気を吹き出す複数個（本実施形態では、４個）の主吹出口３２ａ、３２ｂ、３２ｃ、３２ｄを有している。吸入口３１は、本実施形態において、略正方形状の開口である。４つの主吹出口３２ａ、３２ｂ、３２ｃ、３２ｄは、それぞれ、各パネル辺部３０ａ、３０ｂ、３０ｃ、３０ｄに沿うように細長く延びる略長方形状の開口である。
【００２２】
また、パネル本体３ａの下面には、吸入口３１を囲むように、かつ、４つの主吹出口３２ａ、３２ｂ、３２ｃ、３２ｄに囲まれるように配置された４角環状のパネル下面部３ｂが設けられている。パネル下面部３ｂは、主吹出口３２ａ、３２ｂ、３２ｃ、３２ｄの吸入口３１側の縁部を構成している。具体的には、パネル下面部３ｂの４辺に対応する外周縁部３９ａ、３９ｂ、３９ｃ、３９ｄは、化粧パネル３の平面視において、主吹出口３２ａ、３２ｂ、３２ｃ、３２ｄの吸入口３１側の部分に重なるように配置されている。
【００２３】
そして、吸入口３１には、吸入グリル３３と、吸込口３１から吸入された空気中の塵埃を除去するためのフィルタ３４とが設けられている。
また、主吹出口３２ａ、３２ｂ、３２ｃ、３２ｄには、長手方向の軸周りに揺動可能な水平フラップ３５ａ、３５ｂ、３５ｃ、３５ｄ（水平羽根）がそれぞれ設けられている。水平フラップ３５ａ、３５ｂ、３５ｃ、３５ｄは、それぞれが対応する主吹出口３２ａ、３２ｂ、３２ｃ、３２ｄの長手方向に細長く延びる略長方形状の羽根部材であり、その長手方向の両端部近傍に連結ピン３６がそれぞれ設けられている。そして、水平フラップ３５ａ、３５ｂ、３５ｃ、３５ｄは、それぞれ、連結ピン３６が化粧パネル３に回転可能に支持されることにより、主吹出口３２ａ、３２ｂ、３２ｃ、３２ｄの長手方向の軸周りに揺動可能になっている。パネル角部３０ｆを除く３つのパネル角部３０ｅ、３０ｇ、３０ｈにおいて、隣り合う連結ピン３６同士は、リンク機構としての連結軸３７により連結されている。パネル角部３０ｅを例にすると、水平フラップ３５ｄのパネル角部３０ｅ側の連結ピン３６と水平フラップ３５ａのパネル角部３０ｅ側の連結ピン３６とは、連結軸３７により連結されており、連結軸３７の回転によって回転するようになっている。また、パネル角部３０ｈに配置された連結軸３７には、モータ３８の駆動軸が連結されている。これにより、モータ３８を駆動させると、連結軸３７及び水平フラップ３５ａ、３５ｂ、３５ｃ、３５ｄに設けられた連結ピン３６を介して４つの水平フラップ３５ａ、３５ｂ、３５ｃ、３５ｄが同期して上下に揺動するようになっている。そして、この水平フラップ３５ａ、３５ｂ、３５ｃ、３５ｄの揺動により、主吹出口３２ａ、３２ｂ、３２ｃ、３２ｄから空調室内に吹き出される気流の風向を可変することができるようになっている。
【００２４】
ケーシング本体２ａの内部には、主に、空調室内の空気を化粧パネル３の吸入口３１を通じてケーシング本体２ａ内に吸入して外周方向に吹き出す送風機４と、送風機４の外周を囲むように配置された熱交換器６とが配置されている。
送風機４は、本実施形態において、ターボファンであり、ケーシング本体２ａの天板２１の中央に設けられたファンモータ４１と、ファンモータ４１に連結されて回転駆動される羽根車４２とを有している。羽根車４２は、ファンモータ４１に連結される円板状のエンドプレート４３と、エンドプレート４３の下面の外周部に設けられた複数のブレード４４と、ブレード４４の下側に設けられた中央に開口を有する円板状のエンドリング４５とを有している。送風機４は、ブレード４４の回転によって、エンドリング４５の開口を通じて羽根車４２の内部に空気を吸入し、羽根車４２内に吸入された空気を羽根車４２の外周側に吹き出すことができる。
【００２５】
熱交換器６は、本実施形態において、送風機４の外周を囲むように曲げられて形成されたクロスフィンチューブ型の熱交換器パネルであり、屋外等に設置された室外ユニット（図示せず）に冷媒配管を介して接続されている。熱交換器６は、冷房運転時には内部を流れる冷媒の蒸発器として、暖房運転時には内部を流れる冷媒の凝縮器として機能できるようになっている。これにより、熱交換器６は、送風機４によって吸入口３１を通じてケーシング本体２ａ内に吸入された空気と熱交換を行って、冷房運転時には空気を冷却し、暖房運転時には空気を加熱することができる。
【００２６】
熱交換器６の下側には、熱交換器６において空気中の水分が凝縮されて生じるドレン水を受けるためのドレンパン７が配置されている。ドレンパン７は、ケーシング本体２ａの下部に装着されている。ドレンパン７は、化粧パネル３の吸入口３１に連通するように形成された吸入孔７１と、化粧パネル３の主吹出口３２ａ、３２ｂ、３２ｃ、３２ｄに連通するように形成された４つの主吹出孔７２ａ、７２ｂ、７２ｃ、７２ｄと、熱交換器６の下側に形成されドレン水を受けるドレン水受け溝７３とを有している。ここで、主吹出孔７２ａ、７２ｂ、７２ｃ、７２ｄは、それぞれが対応する主吹出口３２ａ、３２ｂ、３２ｃ、３２ｄの長手方向の長さが短くなっている。特に、主吹出孔７２ｃは、側板２２ｇ側に配置されドレン水受け溝７３に溜まったドレン水を排出するためのドレンポンプ８と、側板２２ｈ側の冷媒配管が貫通する部分とに挟まれているため、他の主吹出孔７２ａ、７２ｂ、７２ｄよりも長手方向の長さが短くなっている。
【００２７】
そして、吸入孔７１は、化粧パネル３の吸入口３１とともに、空調室内の空気をケーシング本体２ａ内に吸入する実質的な吸入口としての吸入流路を構成している。また、主吹出孔７２ａ、７２ｂ、７２ｃ、７２ｄは、それぞれが連通する化粧パネル３の主吹出口３２ａ、３２ｂ、３２ｃ、３２ｄとともに、熱交換器６において熱交換された空気を空調室内に吹き出す実質的な主吹出口としての主吹出流路１２ａ、１２ｂ、１２ｃ、１２ｄを構成している。つまり、本実施形態の空気調和装置１では、化粧パネル３とドレンパン７とによって、ケーシング２の下部が構成されており、このケーシング２の下部に実質的な吸入口及び主吹出口としての吸入流路及び主吹出流路１２ａ、１２ｂ、１２ｃ、１２ｄが形成されている。
【００２８】
また、ドレンパン７の吸入孔７１には、吸入口３１から吸入される空気を送風機４の羽根車４２へ案内するためのベルマウス５が配置されている。
（２）補助吹出口の構造及びその周辺の構成
上記のような基本構成を有する空気調和装置１は、図１〜図７に示されるように、化粧パネル３のパネル角部３０ｅ、３０ｆ、３０ｇ、３０ｈのそれぞれに対応するように形成され、ケーシング本体２ａ内から空調室内に空気を吹き出す複数個（本実施形態では、４個）の補助吹出口３２ｅ、３２ｆ、３２ｇ、３２ｈ（軸端吹出口）をさらに有している。
ここで、図５は、図２の拡大図であって、主吹出口３２ｂに対応する主吹出流路１２ｂ（後述）付近を示す図である。図６は、図２の拡大図であって、補助吹出口３２ｅに対応する補助吹出流路１２ｅ（後述）付近を示す図である。図７は、図３のＣ−Ｃ断面図である。
【００２９】
４つの補助吹出口３２ｅ、３２ｆ、３２ｇ、３２ｈは、それぞれ、化粧パネル３の平面視において、ケーシング本体２ａの側板２２ｅ、２２ｆ、２２ｇ、２２ｈに沿うように形成された略長方形状の開口である。このため、補助吹出口３２ｅ、３２ｆ、３２ｇ、３２ｈは、水平フラップ３５ａ、３５ｂ、３５ｃ、３５ｄの軸方向の端部の近傍であって、水平フラップ３５ａ、３５ｂ、３５ｃ、３５ｄの軸方向の端部の外側の位置に配置されている。また、補助吹出口３２ｅ、３２ｆ、３２ｇ、３２ｈは、本実施形態において、その主吹出口３２ａ、３２ｂ、３２ｃ、３２ｄ側の端部と主吹出口３２ａ、３２ｂ、３２ｃ、３２ｄの補助吹出口３２ｅ、３２ｆ、３２ｇ、３２ｈ側の端部との間隔Ｅが主吹出口３２ａ、３２ｂ、３２ｃ、３２ｄの水平フラップ３５ａ、３５ｂ、３５ｃ、３５ｄの軸に直交する方向の幅Ｗ1の３倍以下の長さになるように配置されている。さらに、補助吹出口３２ｅ、３２ｆ、３２ｇ、３２ｈの開口面積Ｓ2は、主吹出口３２ａ、３２ｂ、３２ｃ、３２ｄの開口面積Ｓ1よりも小さくなっている。
【００３０】
また、補助吹出口３２ｅ、３２ｆ、３２ｇ、３２ｈの吸入口３１側の部分には、化粧パネル３の平面視において、パネル下面部３ｂの各外周縁部３９ａ、３９ｂ、３９ｃ、３９ｄ間の外周角部３９ｅ、３９ｆ、３９ｇ、３９ｈが重なるように配置されている。このため、パネル下面部３ｂは、主吹出口３２ａ、３２ｂ、３２ｃ、３２ｄの吸入口３１側の縁部だけでなく、補助吹出口３２ｅ、３２ｆ、３２ｇ、３２ｈの吸入口３１側の縁部をも構成していることになる。そして、これらの外周角部３９ｅ、３９ｆ、３９ｇ、３９ｈは、その補助吹出口３２ｅ、３２ｆ、３２ｇ、３２ｈ側の面が補助吹出口３２ｅ、３２ｆ、３２ｇ、３２ｈから空調室内に吹き出される空気を斜め下方の一定方向に吹き出すように形成されている。
【００３１】
また、ドレンパン７は、化粧パネル３の補助吹出口３２ｅ、３２ｆ、３２ｇに連通するように形成された３つの補助吹出孔７２ｅ、７２ｆ、７２ｇをさらに有している。ここで、本実施形態において、ドレンパン７の化粧パネル３の補助吹出口３２ｈに対応する位置には、補助吹出孔が形成されていない。このため、化粧パネル３の補助吹出口３２ｈは、本実施形態において、ケーシング本体２ａ内に吸入された空気を空調室内に向かって吹き出す機能を有していない。ここで、補助吹出孔７２ｅは、対応する補助吹出口３２ｅの長手方向の長さとほぼ同じであるが、補助吹出孔７２ｆは、側板２２ａ側にドレン水受け溝７３の一部が張り出しているため、対応する補助吹出口３２ｆの長手方向の長さよりも短くなっている。また補助吹出孔７２ｇは、側板２２ｃ側にドレンポンプ８が配置されているため、対応する補助吹出口３２ｇの長手方向の長さよりも短くなっている。
【００３２】
そして、３つの補助吹出孔７２ｅ、７２ｆ、７２ｇは、それぞれが連通する化粧パネル３の補助吹出口３２ｅ、３２ｆ、３２ｇとともに、熱交換器６において熱交換された空気を空調室内に吹き出す３つの補助吹出流路１２ｅ、１２ｆ、１２ｇを構成している。つまり、本実施形態の空気調和装置１では、化粧パネル３とドレンパン７とからなるケーシング２の下部に実質的な吸入口及び主吹出口としての吸入流路及び主吹出流路１２ａ、１２ｂ、１２ｃ、１２ｄとともに、実質的な補助吹出口としての補助吹出流路１２ｅ、１２ｆ、１２ｇが形成されている。
【００３３】
（３）空気調和装置の動作
次に、空気調和装置１の動作について、図２、図４、図５、図６及び図７を用いて説明する。
運転を開始すると、ファンモータ４１が駆動されて、送風機４の羽根車４２が回転する。また、ファンモータ４１の駆動とともに、熱交換器６内には、室外ユニット（図示せず）から冷媒が供給される。ここで、熱交換器６は、冷房運転時には蒸発器として、暖房運転時には凝縮器として作用する。そして、羽根車４２の回転に伴って、空調室内の空気は、化粧パネル３の吸入口３１からフィルタ３４及びベルマウス５を通じて送風機４の下側からケーシング本体２ａ内に吸入される。この吸入された空気は、羽根車４２によって外周側に吹き出されて熱交換器６に達し、熱交換器６において冷却又は加熱された後、主吹出孔７２ａ、７２ｂ、７２ｃ、７２ｄ及び主吹出口３２ａ、３２ｂ、３２ｃ、３２ｄ（すなわち、主吹出流路１２ａ、１２ｂ、１２ｃ、１２ｄ）と、補助吹出孔７２ｅ、７２ｆ、７２ｇ及び補助吹出口３２ｅ、３２ｆ、３２ｇ（すなわち、補助吹出流路１２ｅ、１２ｆ、１２ｇ）とを通じて空調室内に向かって吹き出される。このようにして、空調室内の冷房又は暖房が行われる。
【００３４】
ここで、冷房運転時には、主吹出口３２ａ、３２ｂ、３２ｃ、３２ｄと、補助吹出口３２ｅ、３２ｆ、３２ｇとから熱交換器６において冷気となった空気が空調室内に吹き出されることになる。そして、主吹出口３２ａ、３２ｂ、３２ｃ、３２ｄにおいては、その軸方向の端部付近を通過する空気の流量は、中央付近を通過する空気の流量に比べて小さいため、空調室内の空気が主吹出口３２ａ、３２ｂ、３２ｃ、３２ｄの端部付近に巻き込まれることになる。
【００３５】
一方、補助吹出口３２ｅ、３２ｆ、３２ｇは、それぞれ、主吹出口３２ａ、３２ｂ、３２ｃ、３２ｄに設けられた水平フラップ３５ａ、３５ｂ、３５ｃ、３５ｄの軸方向の端部の近傍に配置されているため、補助吹出口３２ｅ、３２ｆ、３２ｇから吹き出された気流Ｙの影響によって、その周囲の空間が冷気雰囲気となっている。
このため、主吹出口３２ａ、３２ｂ、３２ｃ、３２ｄの端部付近に巻き込まれる空気Ｚは、主吹出口３２ａ、３２ｂ、３２ｃ、３２ｄから吹き出される冷気（すなわち、気流Ｘのうち、主吹出口３２ａ、３２ｂ、３２ｃ、３２ｄの端部付近を流れる空気）に近い温度を有することとなり、この冷気と混合されても、水平フラップ３５ａ、３５ｂ、３５ｃ、３５ｄの軸方向の端部に結露が生じにくくなっている。
【００３６】
しかも、補助吹出口３２ｅ、３２ｆ、３２ｇは、その主吹出口３２ａ、３２ｂ、３２ｃ、３２ｄ側の端部と主吹出口３２ａ、３２ｂ、３２ｃ、３２ｄの補助吹出口３２ｅ、３２ｆ、３２ｇ、３２ｈ側の端部との間隔Ｅが主吹出口３２ａ、３２ｂ、３２ｃ、３２ｄの水平フラップの軸に直交する方向の幅Ｗ1の３倍以下の長さになるように配置されているため、水平フラップ３５ａ、３５ｂ、３５ｃ、３５ｄの軸方向の端部を確実に冷気雰囲気にすることができるようになっている。
【００３７】
また、補助吹出口３２ｅ、３２ｆ、３２ｇは、パネル角部３０ｅ、３０ｆ、３０ｇに対応するように、かつ、主吹出口３２ａ、３２ｂ、３２ｃ、３２ｄの軸方向の端部の外側に配置されているため、水平フラップ３５ａ、３５ｂ、３５ｃ、３５ｄの軸方向の端部を確実に冷気雰囲気にすることができるようになっている。
（４）空気調和装置の特徴
本実施形態の空気調和装置１には、以下のような特徴がある。
【００３８】
（Ａ）
本実施形態の空気調和装置１では、熱交換器６によって熱交換された空気を主吹出口３２ａ、３２ｂ、３２ｃ、３２ｄとは別に空調室内に吹き出す補助吹出口３２ｅ、３２ｆ、３２ｇが、主吹出口３２ａ、３２ｂ、３２ｃ、３２ｄに設けられた水平フラップ３５ａ、３５ｂ、３５ｃ、３５ｄの軸方向の端部の近傍に配置されており、冷房運転時において、水平フラップ３５ａ、３５ｂ、３５ｃ、３５ｄの軸方向の端部に結露が生じにくくなっている。このように、この空気調和装置１では、補助吹出口３２ｅ、３２ｆ、３２ｇから空調室内に吹き出された冷気（具体的には、気流Ｙ）を利用して、水平フラップ３５ａ、３５ｂ、３５ｃ、３５ｄの軸方向の端部における結露を抑えるようにしているため、従来のように主吹出口３２ａ、３２ｂ、３２ｃ、３２ｄに案内板を設けることによって、主吹出口３２ａ、３２ｂ、３２ｃ、３２ｄにおける通風抵抗を増加させてしまうことがない。また、水平フラップ３５ａ、３５ｂ、３５ｃ、３５ｄに植毛等を施す必要がなくなるため、水平フラップ３５ａ、３５ｂ、３５ｃ、３５ｄが汚れにくくなり、また、意匠性が向上している。
【００３９】
（Ｂ）
また、補助吹出口３２ｅ、３２ｆ、３２ｇは、主吹出口３２ａ、３２ｂ、３２ｃ、３２ｄよりも開口面積が小さいため、本実施形態のパネル角部３０ｅ、３０ｆ、３０ｇ、３０ｈのように、ケーシング２の平面視において、ケーシング本体２ａの側板２２ｅ、２２ｆ、２２ｇと主吹出口３２ａ、３２ｂ、３２ｃ、３２ｄとによって囲まれたスペースのように、設置スペースが小さい場合であっても、容易に配置することができる。言い換えれば、本実施形態の空気調和装置１のような略４角形状の化粧パネル３及び略８角形状のケーシング本体２ａを有するケーシング２の角部のスペースを有効に利用して、水平フラップ３５ａ、３５ｂ、３５ｃ、３５ｄの軸方向の端部を冷気雰囲気にするための補助吹出口３２ｅ、３２ｆ、３２ｇを設けることができる。
【００４０】
（Ｃ）
また、補助吹出口３２ｅ、３２ｆ、３２ｇを主吹出口３２ａ、３２ｂ、３２ｃ、３２ｄの軸方向外側に配置することによって、水平フラップ３５ａ、３５ｂ、３５ｃ、３５ｄの軸方向の端部を確実に冷気雰囲気にすることができる。
（Ｄ）
さらに、補助吹出口３２ｅ、３２ｆ、３２ｇと主吹出口３２ａ、３２ｂ、３２ｃ、３２ｄとの間隔Ｅを、主吹出口３２ａ、３２ｂ、３２ｃ、３２ｄの水平フラップ３５ａ、３５ｂ、３５ｃ、３５ｄの軸に直交する方向の幅Ｗ1の３倍以下の長さにすることによって、水平フラップ３５ａ、３５ｂ、３５ｃ、３５ｄの軸方向の端部を確実に冷気雰囲気にすることができる。
【００４１】
［他の実施形態］
以上、本発明の実施形態について図面に基づいて説明したが、具体的な構成は、これらの実施形態に限られるものではなく、発明の要旨を逸脱しない範囲で変更可能である。
（Ａ）
前記実施形態では、パネル角部３０ｅ、３０ｆ、３０ｇ、３０ｈの全てに対応するように補助吹出口３２ｅ、３２ｆ、３２ｇ、３２ｈが形成されているにもかかわらず、ドレンパン７に補助吹出口３２ｈに対応する補助吹出孔が設けられていないため、４つの補助吹出口３２ｅ、３２ｆ、３２ｇ、３２ｈのうち、３つの補助吹出口３２ｅ、３２ｆ、３２ｇ、３２ｇのみが実質的な補助吹出口として機能していたが、図８（他の実施形態にかかる空気調和装置の概略平面断面図であって、図３に相当する図）に示されるように、ドレンパン７の補助吹出口３２ｈに対応する位置にも補助吹出孔７２ｈを形成することによって、ケーシング本体２ａ内の空気を補助吹出口３２ｈから空調室内に吹き出すようにしてもよい。
【００４２】
（Ｂ）
前記実施形態では、本発明を天井埋込型の空気調和装置に適用したが、天井吊下型の空気調和装置にも適用可能である。
【産業上の利用可能性】
【００４３】
本発明を利用すれば、吹出口に水平羽根が設けられた空気調和装置において、吹出口における通風抵抗を増加させることなく、吹出口に設けられた水平羽根の軸方向の端部における結露を抑えることができる。
【図面の簡単な説明】
【００４４】
【図１】本発明の一実施形態にかかる空気調和装置の外観斜視図である。
【図２】空気調和装置の概略側面断面図であって、図３のＡ−Ｏ−Ａ断面図である。
【図３】空気調和装置の概略平面断面図であって、図２のＢ−Ｂ断面図である。
【図４】空気調和装置の化粧パネルを空調室内から見た平面図である。
【図５】図２の拡大図であって、主吹出口に対応する主吹出流路付近を示す図である。
【図６】図２の拡大図であって、補助吹出口に対応する補助吹出流路付近を示す図である。
【図７】図３のＣ−Ｃ断面図である。
【図８】他の実施形態にかかる空気調和装置の概略平面断面図であって、図３に相当する図である。
【符号の説明】
【００４５】
１  空気調和装置
２  ケーシング
３  化粧パネル（ケーシング下部）
４  送風機
６  熱交換器
７  ドレンパン（ケーシング下部）
３０ａ〜３０ｄ  パネル辺部（辺部）
３０ｅ〜３０ｈ  パネル角部（角部）
３１  吸入口
３２ａ〜３２ｄ  主吹出口（吹出口）
３２ｅ〜３２ｈ  補助吹出口（軸端吹出口）
３５ａ〜３５ｄ  水平フラップ（水平羽根）
Ｅ  間隔
Ｗ1  幅
【図１】
2005156044.tif 000003
【図２】
2005156044.tif 000004
【図３】
2005156044.tif 000005
【図４】
2005156044.tif 000006
【図５】
2005156044.tif 000007
【図６】
2005156044.tif 000008
【図７】
2005156044.tif 000009
【図８】
2005156044.tif 000010